(57)【特許請求の範囲】
【請求項１】
装置筐体内の上方から可視光を照射して、下方部に設置された可視光重合性歯科修復部材載置用のテーブル８面上の可視光重合性歯科修復部材を重合硬化する可視光重合性歯科修復部材硬化用の光重合装置において、上記テーブル８上に、内側下方へ縮径するテーパ内面を有する通気性で可視光反射性のリング体１７を載設し、同テーブル８面上の可視光重合性歯科修復部材７に対する可視光照射を、上方からの照射と上記可視光反射性のリング体１７のテーパ内面により側方へ屈折される照射とで行い、かつ通風による冷却を確保しつつ歯科修復部材７全体をむらなく重合硬化できるごとくしたことを特徴とする可視光重合性歯科修復部材硬化用の光重合装置。
【請求項２】
装置筐体内の下方部に設置された可視光重合性歯科修復部材載置用のテーブル８の上方に、凸レンズ６を水平配置し、さらにその上方に赤外線透過・可視光線反射型の反射鏡４を傾設し、また該反射鏡の側方には発射光源である発光ランプ２を反射鏡４面に向けて配設し、かつ前記凸レンズ６と反射鏡４と発光ランプ２との配設位置関係は発光ランプ２からの発射光線が反射鏡４面に集射され、同反射鏡４からの反射可視光線が拡射光線となって下方の前記凸レンズ６に入射し、さらに同凸レンズ６から下方へ導出される通過光線は均等な平行光線となるような位置関係に配設され、そしてまた上記可視光重合性歯科修復部材載置用のテーブル８上には、内側下方へ縮径するテーパ内面を有する通気性で可視光反射性のリング体１７を載設して構成され、上記平行光線化された可視光線が下方部テーブル８上の可視光重合性歯科修復部材７を均一に光照射し、それをむらなく重合硬化し、また可視光反射性のリング体のテーパ内面により屈折される可視光をテーブル８上の可視光重合性歯科修復部材７の側部に光照射し、かつ通風による冷却を確保しつつ歯科修復部材７全体をむらなく重合硬化できるごとくしたことを特徴とする可視光重合性歯科修復部材硬化用の光重合装置。
【請求項３】
テーブルが、ターンテーブル８であることを特徴とする請求項１又は２記載の可視光重合性歯科修復部材硬化用の光重合装置。
【請求項４】
内側下方へ縮径するテーパ内面を有する通気性で可視光反射性のリング体１７が、メッシュ材で構成されてなることを特徴とする請求項１ないし３のいずれかに記載の可視光重合性歯科修復部材硬化用の光重合装置。
【請求項５】
内側下方へ縮径するテーパ内面を有する通気性で可視光反射性のリング体１７が、パンチングメタル材で構成されてなることを特徴とする請求項１ないし３のいずれかに記載の可視光重合性歯科修復部材硬化用の光重合装置。
【請求項６】
内側下方へ縮径するテーパ内面を有する通気性で可視光反射性のリング体１７が、テーパ内面が鏡面仕上げされてなることを特徴とする請求項１ないし５のいずれかに記載の可視光重合性歯科修復部材硬化用の光重合装置。
【請求項７】
球面反射鏡２ａ付きの発光ランプ２が、発光ランプ内に球面反射膜を形成してなるものであることを特徴とする請求項１ないし６のいずれかに記載の可視光重合性歯科修復部材硬化用の光重合装置。
【請求項８】
テーパ面の俯角が、６０〜４５度であることを特徴とする請求項１ないし７のいずれかに記載の可視光重合性歯科修復部材硬化用の光重合装置。
【発明の詳細な説明】
【０００１】
【産業上の利用分野】
本発明は光硬化性樹脂からなる歯科修復部材に光照射し、重合硬化させるための光重合装置に関し、特に、テーブル上の可視光重合性歯科修復部材に可視光線を均一にかつ全体に照射して重合硬化するごとくした可視光重合性歯科修復部材硬化用の光重合装置に関する。
【０００２】
【従来の技術及び発明が解決しようとする課題】
従来、損傷した義歯床面等に光重合性歯科修復部材を塗布して重合硬化する修復作業においては、塗布された光重合性樹脂プレポリマーよりなる修復部材に光照射をしてそれを重合硬化することが広く実施されている。そして、最近では照射光として人体に有害な紫外線に代えて可視光線を用いることが行われている。実施に際しては、可視光重合性歯科修復部材載置用のテーブルの真上の最上位置に、球面反射鏡付きの発光ランプを下向きに設置し、さらにその下に赤外線除去フィルターを介在配置して、前記最下位置に配置された可視光重合性歯科修復部材に可視光線を照射させている。
しかしながら、テーブル上面の可視光重合性歯科修復部材には上方からの可視光は完全に照射されるものの、歯科修復部材の側部には上方からの可視光は照射され難く、歯科修復部材全体の可視光照射による重合硬化が達成されなかった。また、前記の発光ランプからの発射光線は、フィルターを介在させても赤外線を十分に除去しきれず、かつ光分布が不均一となって局部発熱を起こし、可視光重合性樹脂の重合硬化にむらが発生し、製品の成形精度・材質特性を劣化させていた。
また、発光ランプからの発射光は均等な平行光線でなく、発光ランプから歯科修復部材の光重合性樹脂までの距離を精密に調節しないと照射光むらが生じてしまう問題があった。
さらに、装置はテーブル−フィルター−レンズ−発光ランプが一直線状に上下に配置された状態であるため、背丈の高いものとなって転倒する恐れもあり、十分な安定性が保証されていなかった。
【０００３】
【課題を解決するための手段】
本発明者らは前記課題を解決すべく研究の結果、下記のとおりの本発明の可視光重合性歯科修復部材硬化用の光重合装置を開発するに至った。
（１）装置筐体内の上方から可視光を照射して、下方部に設置された可視光重合性歯科修復部材載置用のテーブル８面上の可視光重合性歯科修復部材を重合硬化する可視光重合性歯科修復部材硬化用の光重合装置において、上記可視光重合性歯科修復部材載置用のテーブル８上に、内側下方へ縮径するテーパ内面を有する通気性で可視光反射性のリング体１７を載設し、テーブル８面上の可視光重合性歯科修復部材７に対する可視光照射を、上方からの照射と上記可視光反射性のリング体１７のテーパ内面により側方へ屈折される照射とで行い、かつ通風による冷却を確保しつつ歯科修復部材７全体をむらなく重合硬化できるごとくしたことを特徴とする可視光重合性歯科修復部材硬化用の光重合装置。
（２）装置筐体内の下方部に設置された可視光重合性歯科修復部材載置用のテーブル８の上方に、凸レンズ６を水平配置し、さらにその上方に赤外線透過・可視光線反射型の反射鏡４を傾設し、また該反射鏡の側方には発射光源である発光ランプ２を反射鏡４面に向けて配設し、かつ前記凸レンズ６と反射鏡４と発光ランプ２との配設位置関係は発光ランプ２からの発射光線が反射鏡４面に集射され、同反射鏡４からの反射可視光線が拡射光線となって下方の前記凸レンズ６に入射し、さらに同凸レンズ６から下方へ導出される通過光線は均等な平行光線となるような位置関係に配設され、そしてまた上記可視光重合性歯科修復部材載置用のテーブル８上には、内側下方へ縮径するテーパ内面を有する通気性で可視光反射性のリング体１７を載設して構成され、上記平行光線化された可視光線が下方部テーブル８上の可視光重合性歯科修復部材７を均一に光照射し、それをむらなく重合硬化し、また可視光反射性のリング体のテーパ内面により屈折される可視光をテーブル８上の可視光重合性歯科修復部材７の側部に光照射し、かつ通風による冷却を確保しつつ歯科修復部材７全体をむらなく重合硬化できるごとくしたことを特徴とする可視光重合性歯科修復部材硬化用の光重合装置。
（３）テーブルが、ターンテーブル８であることを特徴とする（１）又は（２）記載の可視光重合性歯科修復部材硬化用の光重合装置。
（４）内側下方へ縮径するテーパ内面を有する通気性で可視光反射性のリング体１７が、メッシュ材で構成されてなることを特徴とする（１）ないし（３）のいずれかに記載の可視光重合性歯科修復部材硬化用の光重合装置。
（５）内側下方へ縮径するテーパ内面を有する通気性で可視光反射性のリング体１７が、パンチングメタル材で構成されてなることを特徴とする（１）ないし（３）のいずれかに記載の可視光重合性歯科修復部材硬化用の光重合装置。
（６）内側下方へ縮径するテーパ内面を有する通気性で可視光反射性のリング体１７が、テーパ内面が鏡面仕上げされてなることを特徴とする（１）ないし（５）のいずれかに記載の可視光重合性歯科修復部材硬化用の光重合装置。
（７）球面反射鏡２ａ付きの発光ランプ２が、発光ランプ内に球面反射膜を形成してなるものであることを特徴とする（１）ないし（６）のいずれかに記載の可視光重合性歯科修復部材硬化用の光重合装置。
（８）テーパ面の俯角が、６０〜４５度であることを特徴とする（１）ないし（７）のいずれかに記載の可視光重合性歯科修復部材硬化用の光重合装置。
【０００４】
【作用】
本発明装置においては、上方から下方へ照射される可視光、特にテーブル８外周部の可視光が、テーブル８面上の通気性の可視光反射性リング体１７のテーパ面にあたって屈折され、テーブル８面上の可視光重合性歯科修復部材８の側部に照射される。その結果、テーブル面上の歯科修復部材８は上方からの垂直光線照射と下部における側方からの横方向照射とを受け、全体的に可視光照射を受けるため、歯科修復部材はむらなく完全に重合硬化される。また、可視光照射時において可視光重合性歯科修復部材が発熱しても、リング体が通気性であるため、良好な通風によって十分に冷却される。
また、第２の発明によれば、発光ランプ２からの発射光線が反射鏡４面に集射され、同反射鏡４からの反射光線が拡射光線となって下方の前記凸レンズ６に入射し、さらに同凸レンズ６から下方へは均等な平行光線となって照射され、したがって、前記平行光線化された均等な可視光線が下方のテーブル８上の可視光重合性歯科修復部材８を均一に光照射し、それをむらなく重合硬化できる。
凸レンズ６から下方への通過光線は均等な平行光線であるため、テーブル８上の光重合性歯科修復部材８の高さはどの高さ位置にあっても、光重合性歯科修復部材に均一な照射可視光線が照射されるので、従来技術のように歯科修復部材の高さを精密に調節する必要はなくなる。
また、傾設した反射鏡を用い、発光ランプを横方向に配置したため、装置の背丈を低下でき、コンパクトで設置安定性も十分に確保できる。
【０００５】
【実施例】
以下、図面に基づき本発明の実施例を詳説する。
図１は本発明の実施例装置の断面図（図２のＹ−Ｙ’断面図）、図２は図１のＸ−Ｘ’断面図、図３はテーブル面上に可視光反射性のリング体が載設されてなる状態の要部斜視図、図４はリング体が固定されている状態の斜視図を示す。
図中、１は装置本体、２は発光ランプ、２ａは球面反射鏡、３は隔離板、３ａは通気穴、３ｂは給気気流調整用傾斜板、４は傾設の赤外線透過・可視光線反射型の（平面）反射鏡、５は赤外線の放熱板、６は凸レンズ、７は可視光重合性歯科修復部材、８は（ターン）テーブル、９は給排気装置、９ａは排気装置、９ｂは給気装置、１０は駆動装置（モータ）、１１は制御機器収容室、１２は前蓋、１３は引出把手、１４はガイドレール、１５は塵埃除去フィルタ、１６は引出型支持体、１７は内側下方へ縮径するテーパ内面を有する通気性で可視光反射性のリング体である。
本実施例装置１の筐体内の下方部には、ターンテーブル８面に載置された可視光重合性樹脂プレポリマーからなる歯科修復部材７が配置されており、またターンテーブル８面上には内側下方へ縮径するテーパ内面を有する通気性で可視光反射性のリング体１７が載設されている。図３に示すごとく、リング体１７は網等のメッシュ体やパンチングメタル材で構成されており、冷却用の空気が十分に流通し、内側に配置されている可視光重合性の歯科修復部材７の過熱を防止できるようになっており、ターンテーブル８面上に歯科修復部材７を取り囲むようにして単に載置してもよいが、リング体１７の底部をターンテーブル８の外周部に一部嵌合するごとく構成して安定的に載設するようにすることが好ましい外周付近に固定してもよい。
リング体１７のテーパ面は可視光反射性とするが、金属メッシュ材を鏡面仕上げするか、白色塗料を塗布するなどにより行うことができる。
なお、リング体１７のテーパ面の角度は、俯角で６０〜４５度が好ましい。
その結果、上方から降下する可視光は、歯科修復部材７の表面に照射されるとともに、リング体１７内面のテーパ面により屈折されて歯科修復部材７の側部にも照射され、全体として良好な可視光照射がなされる。
本例では、テーブル８は下方の駆動装置１０により回転されるターンテーブル構造となっているので、歯科修復部材７に対する可視光線照射むらは完全に防止できる。
【０００６】
装置１内の上方部には、前記ターンテーブル８の上方に赤外線透過・可視光線反射型の平面反射鏡４が角度４５°で前下方へ傾斜して設置されている。該平面反射鏡４の背面には放熱板５が取付けられ、発光ランプ２からの光線照射による発熱を回避している。  また、傾設平面反射鏡４に対してその下方には、凸レンズ６が水平状態で配設されている。
さらに、前記平面反射鏡４に対してその側方には、発射光源である球面反射鏡２ａ付きの発光ランプ２が同平面反射鏡４面に向けて配設されている。
発光ランプ２は可視光重合性樹脂プレポリマーの重合硬化用の光源であるから、光量の大きいランプ、例えばハロゲンランプが使用される。
該発光ランプ２はランプ背面が球面反射鏡２ａでカバーされており、該発光ランプ２から各方面に放射される発射光線のうちの大部分を前方に集射させる構造となっている。
なお、上記の球面反射鏡２ａ付きの発光ランプ２に代えて発光ランプ２内に球面反射膜を金属蒸着により形成したものとしてよい。
【０００７】
上記構成の光重合装置において、発光ランプ２の発光点は球面反射鏡２ａの焦点より外側で、その球心より内側に設定されているから、反射光線は横方向の光軸に沿って集光され、前記４５°傾設平面反射鏡４の鏡面に凝縮して集射される。
該反射鏡４では赤外線は透過して、背面の赤外線の放熱板５によって除去され、可視光線が屈折反射され、拡射光線となって下方の凸レンズ６に投射される。また、前記反射鏡４からの拡射光線は凸レンズ６を通過して平行光線化されて下方へ照射される。
発光ランプ２から球面鏡２ａを介さず直接に放射された発射光線は、平面反射鏡４で屈折反射され、前記設置位置の下方の凸レンズ６に投射され、通過して、平行光線となって下方の可視光重合性歯科修復部材７に照射される。
上記のごとく、凸レンズ６を通過した通過光線は、均等な平行光線として下方へ照射されるから、下方の光重合性歯科修復部材はどのような高さ位置にあっても、各高さ位置において均等な可視光線が照射される。
【０００８】
また、９は給排気装置で、９ａは排気装置、９ｂは給気装置であり、まず外気は塵埃除去フィルタ１５を通って給気装置装置９ｂにより装置筐体内に導入され、導入された空気は矢印指示の気流となって、ターンテーブル８上の可視光重合性歯科修復部材を冷却し、次いで凸レンズ６と前蓋１２との間の間隙部３０を通過上昇して赤外線の放熱板５を冷却し、さらに、上方の隔離板３に穿設された通気穴３ａ、３ａを通過して、発光ランプ２を冷却し、その後排気装置９ａにより外側へ吸引されて、熱気となって外部へ排出される。
この際、隔離板３と凸レンズ６等により筐体内は上下２室に略二分されており、かつ気流は前記のごとく下方室から上方室へと流通するため、高熱の上部室の熱は、可視光重合性歯科修復部材の昇温を望まなく比較的低温保持を必要とする下部室へ流れ込むことがない。さらに、隔離板３端部から斜め下方へ給気気流調整用傾斜板３ｂを延設することによって、給気装置９ｂにより室内へ導入された空気気流を可視光重合性歯科修復部材７へ集中的に送給することを可能とし得る。
なお、ターンテーブル８の下部は引出型支持体１６となっており、その中に駆動装置（モータ）１０が収納され、また前方には引出握手１３が設けられている。該引出型支持体１６は、ガイドレール１４に案内されて装置外へ引出すことができ、その引出位置でターンテーブル８上に歯科修復部材７を載置したり、取り出したりすることができる。
また、本装置を自動的に作動される各種タイマ、温度センサー、半導体集積回路等の制御装置は、制御機器収容室１１に収納されている。
【０００９】
【発明の効果】
本発明の可視光重合性歯科修復部材用光重合装置によれば、垂直方向の可視光線及び下部の側方からの横方向の可視光線がターンテーブル上の可視光重合性歯科修復部材に照射し、かつ通風による冷却を確保しつつ全体としてそれをむらなく重合硬化できる。
また、下方への通過光線を均等な平行光線として照射するようにした場合の発明にあっては、ターンテーブル上の光重合性歯科修復部材の高さはどの高さ位置にあっても、光重合性歯科修復部材に均一な照射可視光線を照射することができ歯科修復部材の高さを精密に調節する必要はなくなる。
【図面の簡単な説明】
【図１】本発明の実施例装置の断面図（図２のＹ−Ｙ’断面図）。
【図２】図１のＸ−Ｘ’断面図。
【図３】テーブル面上に可視光反射性のリング体が載設されてなる状態の要部斜視図
【図４】  リング体が固定されている状態の斜視図
【符号の説明】
１：装置本体
２：発光ランプ
２ａ：球面反射鏡
３：隔離板
３ａ：通気穴
３ｂ：給気気流調整用傾斜板
４：傾設の赤外線透過・可視光線反射型の（平面）反射鏡
５：赤外線の放熱板
６：凸レンズ
７：可視光重合性歯科修復部材
８：ターンテーブル
９：給排気装置
９ａ：排気装置
９ｂ：給気装置
１０：駆動装置（モータ）
１１：制御機器収容室
１２：前蓋
１３：引出把手
１４：ガイドレール
１５：塵埃除去フィルタ
１６：引出型支持体
１７：可視光反射性のリング体
３０：間隙
【図１】
0003653767.tif 000002
【図２】
0003653767.tif 000003
【図３】
0003653767.tif 000004
【図４】
0003653767.tif 000005